(57)【特許請求の範囲】
【請求項１】
鍵を挿入して操作するキースイッチと、操作パネルと、を有し、このキースイッチによる操作と、この操作パネルにおける任意の位置を押下する操作と、を受け付ける操作手段と、
装置本体のメンテナンスに係るメンテナンス処理を行うメンテナンスモードと、顧客との取引に係る取引処理を行う取引モードと、を切替えるモード切替手段と、
前記操作手段が前記キースイッチによる操作を受け付けたときに、前記操作パネルの領域を分割したｎ個の領域のうち、最初に押下された領域が予め設定した設定領域であれば、前記モード切替手段に対して前記メンテナンスモードへの切替えを指示し、
最初に押下された領域が前記設定領域でなければ、前記モード切替手段に対して前記メンテナンスモードへの切替え禁止を指示する指示手段と、
を備えた取引処理装置。
【請求項２】
前記指示手段は、前記操作手段が前記キースイッチによる操作を受け付けたときに、最初に押下された領域が前記操作パネルを上下方向に２つ、左右方向に２つの計４つに分割した領域のいずれであるかを判定する、請求項１に記載の取引処理装置。
【請求項３】
前記操作パネルが上面に配置された画面に情報を表示し、前記操作手段が前記キースイッチによる操作を受け付けたときに、画面表示を停止する表示手段を備えた請求項１または２に記載の取引処理装置。
【請求項４】
予め設定した事象が発生したときに、前記設定領域を設定する領域設定手段を備えた、請求項１〜３の何れかに記載の取引処理装置。
【請求項５】
予め設定した時刻になったときに、前記設定領域を設定する領域設定手段を備えた、請求項１〜３の何れかに記載の取引処理装置。
【請求項６】
前記指示手段が前記モード切替手段に対して前記メンテナンスモードへの切替え禁止を指示した場合に、データ通信ラインで接続されているホスト装置に切替え禁止を指示した旨の通知を行う通知手段を備えた請求項１〜５の何れか記載の取引処理装置。
【請求項７】
取引処理に用いる媒体の投入を受け付けるとともに、処理した取引処理にかかる媒体を放出する媒体処理手段を備え、
前記媒体処理手段は、前記指示手段が、前記モード切替手段に対して前記メンテナンスモードへの切替え禁止を指示した場合に、前記媒体処理手段の動作を停止する手段である、請求項１〜６の何れかに記載の取引処理装置。
【発明の詳細な説明】
【技術分野】
【０００１】
本発明は、装置本体のメンテナンスに係るメンテナンス処理を行うメンテナンスモードと、顧客との取引に係る取引処理を行う取引モードと、を切替える取引処理装置に関する。
【背景技術】
【０００２】
従来、取引処理装置は、顧客との取引を行う取引モードと、係員が装置本体のメンテナンスを行うメンテナンスモードと、の２つの動作モードで動作する。取引モードの時には、入金取引、出金取引、残高照会、振込取引等の各種取引を行うことができる。メンテナンスモードの時には、投入された紙幣や硬貨や通帳やカードといった媒体の返却、装置本体の動作テスト、装置の復旧等の装置本体のメンテナンスを行うことができる。
【０００３】
一般的な取引処理装置は、装置本体に設けられているキースイッチに対応するキーを挿入し操作することで、動作モードを取引モードからメンテナンスモードへと切替える構成である。
【０００４】
また、特許文献１には、最初に、キースイッチに対応するキーを挿入し操作する。続いて、操作部で暗証番号を入力する、あるいは、専用のカードをカード挿入口に挿入することで、動作モードを取引モードからメンテナンスモードへと切替える自動取引装置が記載されている。
【特許文献１】特開平１１−１７５８１９
【発明の開示】
【発明が解決しようとする課題】
【０００５】
しかしながら、従来のように係員キーだけで、動作モードの切替えを行う構成では、キースイッチが故障してしまった場合、キースイッチから動作モードを切替える信号が出力されると、取引モードからメンテナンスモードへと切替わってしまう。メンテナンスモード時に顧客が操作を行うと、装置本体に収納されている紙幣や硬貨を取り出されてしまう恐れがある。そのため、セキュリティに問題があった。
【０００６】
また、特許文献１の構成では、最初にキースイッチによる入力操作を行い、続いて暗証番号の入力や専用カードの挿入といった複数の入力操作を行わなければならない。そのため、キースイッチに対応するキーの管理に加え、暗証番号や専用カードの管理が必要となる。したがって、管理が煩雑である。
【０００７】
そこで、本発明の目的は、上記問題に鑑み、セキュリティを維持しつつ、管理を簡単にした取引処理装置を提供することにある。
【課題を解決するための手段】
【０００８】
上記課題を解決するために、本発明は以下の通りである。
【０００９】
取引処理装置は、操作手段と、モード切替手段と、指示手段と、を備えている。操作手段は、鍵を挿入して操作するキースイッチと、操作パネルと、を有し、このキースイッチによる操作と、この操作パネルにおける任意の位置を押下する操作と、を受け付ける。モード切替手段は、装置本体のメンテナンスに係るメンテナンス処理を行うメンテナンスモードと、顧客との取引に係る取引処理を行う取引モードと、を切替える。指示手段は、操作手段がキースイッチによる操作を受け付けたときに、操作パネルの領域を分割したｎ個の領域のうち、最初に押下された領域が予め設定した設定領域であれば、モード切替手段に対してメンテナンスモードへの切替えを指示し、最初に押下された領域が設定領域でなければ、モード切替手段に対してメンテナンスモードへの切替え禁止を指示する。
【００１０】
こうすることにより、係員が動作モードをメンテナンスモードへと切替える時、キースイッチによる操作に続いて、操作パネルのｎ個に分割した領域のうち、予め設定した設定領域が最初に押下された場合に、メンテナンスモードへの切替えを指示する。したがって、キースイッチによる操作を受け付けただけでは、メンテナンスモードへと動作モードを切替えないため、セキュリティは維持される。また、キースイッチによる操作を受け付けて、操作パネルの入力領域をｎ個の領域に分割し、続いて、ｎ個に分割した入力領域のうち、予め設定した設定領域を最初に押下されるとメンテナンスモードへの切替えを指示するので、複数の入力操作である暗証番号や専用カードを使用する必要がなくなり、暗証番号や専用カードの管理が不要になるため、管理が簡単になる。
【発明の効果】
【００１１】
セキュリティが維持されつつ、管理が簡単になる。
【発明を実施するための最良の形態】
【００１２】
以下、本発明の実施形態について説明していく。
【００１３】
図１は、本発明を適用した現金自動預け払い機（以下、ＡＴＭと称する）である。ＡＴＭ１は、制御部２、カード処理部３、通帳処理部４、紙幣処理部５、硬貨処理部６、明細票発行部７、表示部８、通信部９、操作部１０、を備えている。
【００１４】
制御部２は、ＡＴＭ１本体各部の動作を制御する。また、取引モードと、メンテナンスモードと、の切替えを行う。取引モードは顧客との各種取引に係る取引処理を実行するモードである。メンテナンスモードは、係員等の管理者がＡＴＭ１のメンテナンス処理を実行するモードである。
【００１５】
取引モード時には、図２に示すメニュー画面等を表示部８に表示する。取引モード時には、図２に示すように、入金取引、残高照会、出金取引、振込取引、といった顧客との各種取引処理に係る項目が表示部８に表示されている。なお、図２に図示している項目は一例であり、他の項目が表示されていても良いし、この項目の一部のみが表示されていても良い。
【００１６】
顧客は各項目を選択し、制御部２は選択された各項目に対応した処理を行っていく。
【００１７】
メンテナンスモード時には、図３に示すメニュー画面等を表示部８に表示する。メンテナンスモード時には、図３に示すように、媒体返却、ユニットテスト、復旧、モード変更、といった係員等の管理者がメンテナンス処理を行うのに必要な項目が表示されている。なお、図３に図示している項目は、一例であり、他の項目が表示されていても良いし、この項目の一部のみが表示されていても良い。
【００１８】
係員等の管理者は、各項目を選択し、制御部２は選択された各項目に対応した処理を行っていく。ＡＴＭ１がメンテナンスモード時にメンテナンスを処理する動作については、公知のＡＴＭと同様であるため、ここでは詳細な説明を省略する。
【００１９】
カード処理部３は、本体前面に設けられたカード挿入口に挿入されたキャッシュカードを受け付け、このキャッシュカードに記録されている口座番号等のカード情報の読み取りや、書き込みを行う。
【００２０】
通帳処理部４は、本体前面に設けられた通帳挿入口に挿入された通帳を受け付け、取引内容等を受け付けた通帳に印字する。
【００２１】
紙幣処理部５は、入金紙幣や、出金紙幣を本体前面に設けられた紙幣投入／取出口と、本体内部に設けられた金種別紙幣カードリッジと、の間で搬送する。また、搬送している紙幣毎に、その金種や真偽を鑑別する紙幣鑑別部を有している。
【００２２】
硬貨処理部６は、入金硬貨や、出金硬貨を本体前面に設けられた硬貨投入／取出口と、本体内部に設けられた金種別硬貨カートリッジと、の間で搬送する。また、搬送している硬貨毎に、その金種や真偽を鑑別する硬貨鑑別部を有している。
【００２３】
明細票発行部７は、取引内容を印字した明細票を、本体前面に設けられた明細票発行口に放出する。
【００２４】
表示部８は、本体前面に設けられ、顧客に対する操作ガイダンス等の案内画面を表示する。
【００２５】
通信部９は、ＡＴＭ１を図示していないホスト装置や、ＡＴＭ１が設置されている店舗の店舗内サーバや、ＡＴＭ１が設置されている店舗内の電光掲示板等の外部機器に接続している。ホスト装置は、金融機関に開設されている口座を管理する。ＡＴＭ１は、銀行等の金融機関に開設されている口座に対しての入金取引や出金取引等の各種取引を、入力された取引データに基づいて処理する。ＡＴＭ１は、入力された取引データに基づく取引の可否についての認証をホスト装置に要求し、その認証結果をホスト装置から取得する。ＡＴＭ１は、ホスト装置からの認証結果が取引可であれば取引を処理し、反対に取引不可であれば取引を中止する。また、店舗内サーバや、店舗内の電光掲示板に、後述するエラー通知を送信する。
【００２６】
操作部１０は、図４に示す通り、タッチパネル１１、テンキー１２、キースイッチ１３、を備えている。
【００２７】
タッチパネル１１は、表示部８の画面上に設けられ、タッチパネル１１の押下位置を検知し、この押下位置を入力操作として受け付ける。テンキー１２は、装置前面に設けられ、入出金や振込処理等に係る金額の指定等を行う。キースイッチ１３は、鍵状のスイッチであり、対応しているキーを挿入し、操作されることで、動作モードを切替える切替信号を制御部２へ出力する。制御部２は、この切替信号の入力があり、続いて、タッチパネル１１における入力操作が予め設定されている設定領域である時、動作モードをメンテナンスモードに切替える。動作モードをメンテナンスモードへと切替える処理についての詳細は後述する。
【００２８】
ＡＴＭ１は、操作部１０における顧客の入力操作によって入力された取引データに基づいて取引を処理する。ＡＴＭ１が、操作部１０における利用者の入力操作によって入力された取引データに基づいて取引を処理する動作については、公知のＡＴＭと同様であるため、ここでは詳細な説明を省略する。
【００２９】
以下、ＡＴＭ１の動作について、図５に示すフローチャートに基づいて、詳細に説明していく。
【００３０】
制御部２は、現在、取引モードであり、通常の状態である時には、図２に示す画面を表示部８に表示する。また、取引モードであり、故障中等の理由により、顧客との取引が行えない状態である時には、図６に示す画面を表示部８に表示する（Ｓ１）。制御部２は、キースイッチ１３に対応しているキーが挿入され、操作されたかを判定する（Ｓ２）。ステップＳ２において、キースイッチ１３が、操作されない場合（Ｓ２のＮ）、取引モードを維持する。一方、キースイッチ１３に対応しているキーが挿入され、操作された場合（Ｓ２のＹ）、キースイッチ１３から制御部２に対して切替信号が出力される。制御部２は、この切替信号の入力を受け付けると、表示部８が現在表示している画面を消去し（Ｓ３）、画面上に何も表示されていない状態にする。なお、本実施形態におけるキースイッチ１３の入力操作が、本発明の「第１の入力操作」に該当する。
【００３１】
ステップＳ３において、制御部２が表示部８に表示していた画面を消去し、何も表示していない状態にした後に、タッチパネル１１への入力操作が行われたかを判定する（Ｓ４）。ステップＳ４において、入力操作が行われなかった時には（Ｓ４のＮ）、動作モードは、切替わらずに、取引モードであり、再び表示部８に図２または図６の画面を表示する。
【００３２】
ステップＳ４において、タッチパネル１１への入力操作が行われると（Ｓ４のＹ）、このタッチパネル１１における押下位置が、操作部１０がタッチパネル１１について分割した４つの領域の中で予め設定されている設定領域への押下位置であるかを判定する（Ｓ５）。ステップＳ５における設定領域について説明する。操作部１０はタッチパネル１１を図７に図示するように４つの領域Ａ〜Ｄに分割する。この領域Ａ〜Ｄの何れか１つの領域を設定領域に設定する。領域Ａ〜Ｄの何れか１つの領域を設定領域にするタイミングは、例えば、ＡＴＭ１の電源起動時や、日付が変わった時、といった適当なタイミングである。ＡＴＭ１は、こうして設定した設定領域を係員等の管理者に通知する。通知する方法は、例えば、設定領域を図示していないジャーナルで通知しても良いし、他の方法で通知しても良い。なお、本実施形態では、４つの領域に分割したが、４つの領域ではなく、ｎ個の領域で分割しても良い。但し、ＡＴＭ１に備えられているタッチパネル１１は１０インチ程度であるため、分割する領域の個数が増えると、設定領域への入力操作を行うことが困難になる。また、分割する領域の個数が少なすぎると、キースイッチ１３の故障により、切替信号が出力され、画面の表示が消えている時に、顧客がタッチパネル１１を操作してしまい、それにより動作モードがメンテナンスモードへと切り替わってしまう虞がある。そのため、入力操作の困難性を抑制すること、セキュリティを維持すること、から分割する領域は４〜８個程度の個数が好ましい。
【００３３】
ステップＳ５において、タッチパネル１１における押下位置が、設定領域と異なった領域であると制御部２が判定すると（Ｓ５のＮ）、制御部２は、モード切替えの禁止を指示し、動作モードをメンテナンスモードに切替えない（Ｓ６）。そして、通信部９を介して接続されている図示していないＡＴＭ１が設置されている店舗にある店舗内サーバや電光掲示板等に対して、制御部２がモード切替えの禁止を指示した旨の通知をエラー通知として送信する（Ｓ７）。ステップＳ７におけるエラー通知を送信する処理は公知であるため、詳細な説明は省略する。そして、制御部２は、カード処理部３、通帳処理部４、紙幣処理部５、硬貨処理部６、明細票発行部７、の媒体処理に係る各媒体処理動作を停止させる（Ｓ８）。ステップＳ８に係る処理を制御部２が実行すると、係員等の管理者が対処するまで、この媒体処理動作は停止した状態を維持する。ステップＳ８における各媒体処理動作の停止処理は、公知であるため、詳細な説明は省略する。
【００３４】
ステップＳ５において、タッチパネル１１における押下位置が、設定領域であると制御部２が判定すると（Ｓ５のＹ）、取引モードからメンテナンスモードへの動作モードの切替えを指示し（Ｓ９）、動作モードをメンテナンスモードに切替える。メンテナンスモードに切替ると、図３に図示した画面を表示部８に表示する（Ｓ１０）。係員等の管理者は、ＡＴＭ１のメンテナンスを行う。なお、本実施形態における、タッチパネル１１における押下位置が設定領域である入力操作が、本発明の「第２の入力操作」に該当する。
【００３５】
メンテナンスモード時には、キースイッチ１３から切替信号が入力されたかを判定する（Ｓ１１）。ステップＳ１１において、キースイッチ１３から切替信号を制御部２が受け付けた時（Ｓ１１のＹ）、動作モードをメンテナンスモードから取引モードへと切替える（Ｓ１２）。そして、図２に図示した画面を表示部８に表示する。ステップＳ１１において、キースイッチ１３から切替信号を制御部２が受け付けない時（Ｓ１１のＮ）、メンテナンスモードが維持される。
【００３６】
このように、キースイッチ１３から出力された切替信号を制御部２が受け付けた後、単独の入力操作である設定領域への入力操作を受け付けると、動作モードを取引モードからメンテナンスモードへと切替える。したがって、キースイッチ１３が故障してしまい、キースイッチ１３から切替信号が出力されても、設定領域への入力操作が行われなければ、動作モードは切替わらない。そのため、セキュリティは維持されている。また、キースイッチ１３の入力操作に加え、単独の入力操作である設定領域への入力操作により、動作モードをメンテナンスモードに切替えることになるので、キースイッチ１３に対応したキーに加え、暗証番号や専用カード等を管理する必要がなくなり、キーだけを管理すれば良いため、管理が簡単になる。
【００３７】
なお、本実施形態では、キースイッチ１３から入力される切替信号を制御部２が判定していたが、キースイッチ１３の入力操作に代えて、暗証番号の入力により出力される切替信号を制御部２が判定しても良い。また、カード処理部３で専用のカードを受け付け、受け付けた専用のカードを読み取ることで、出力される切替信号を制御部２が判定しても良い。また、別にカードリーダを設け、このカードリーダが専用カードを受け付け、受け付けた専用のカードを読み取ることで、出力される切替信号を制御部２が判定しても良い。
【００３８】
また、本実施形態はＡＴＭであるが、通帳処理機、両替機等の他の取引処理装置に対しても適用である。
【図面の簡単な説明】
【００３９】
【図１】ＡＴＭの構成ブロック図である。
【図２】取引モード時の通常状態において、表示部に表示する画面を示す図である。
【図３】メンテナンスモード時に表示部に表示する画面を示す図である。
【図４】操作部の構成ブロック図である。
【図５】制御部２が行う動作のフローチャートを示す図である。
【図６】取引モード時の障害発生状態において、表示部に表示する画面を示す図である。
【図７】操作部がタッチパネルについて分割した４つの領域である。
【符号の説明】
【００４０】
１…現金自動預け払い機（ＡＴＭ）
２…制御部
３…カード処理部
４…通帳処理部
５…紙幣処理部
６…硬貨処理部
７…明細票発行部
８…表示部
９…通信部
１０…操作部
１１…タッチパネル
１２…テンキー
１３…キースイッチ
【図１】
0005100404.tif 000002
【図２】
0005100404.tif 000003
【図３】
0005100404.tif 000004
【図４】
0005100404.tif 000005
【図５】
0005100404.tif 000006
【図６】
0005100404.tif 000007
【図７】
0005100404.tif 000008